(57)【特許請求の範囲】
【請求項１】
槽体の底部で排水口を形成する排水栓と、
上下動を行うことにより排水口の開閉を行う弁体と、
弁体の操作を行う操作部と、
操作部の操作を弁体へと伝達する、筒状にして可撓性を有するアウターチューブ、軸方向に剛性を有するとともにアウターチューブ内を進退可能なインナーワイヤを備えたレリースワイヤと、
インナーワイヤを操作部側に向けて付勢するリターンスプリングと、
からなる遠隔操作式排水栓装置について、
前記操作部は弁体の上昇状態の保持及び保持の解除を行うロック機構を有し、
当該ロック機構は、前記操作部の操作に伴い進退可能且つ周方向に回動可能な回転歯を有する回転部材、回転歯を回動させる傾斜歯、回転歯の位置保持を行う保持歯を備え、
前記回転部材は保持歯との係合時及び非係合時において、リターンスプリングによって弁体側端部がインナーワイヤ端部によって操作部側に向けて押圧されることで常時付勢されていることを特徴とする遠隔操作式排水栓装置。
【請求項２】
前記傾斜歯は、回転歯が弁体側へ前進した際に当接する位置に配置固定され、
前記保持歯は、上記傾斜歯と対向する位置であって、回転歯が操作部側へ後退した時に当接する位置に配置固定され、
前記回転歯は、操作部の操作に伴い傾斜歯及び保持歯によって回動され、保持歯に対して係脱を繰り返すことでレリースワイヤを介して弁体の上昇状態の保持及び保持の解除を行うことを特徴とする請求項１に記載の遠隔操作式排水栓装置。
【請求項３】
前記ロック機構はケーシング体を有し、
当該ケーシング体の内部に回転歯、傾斜歯、保持歯が配置されることで一体化されたユニットを形成することを特徴とする請求項１又は請求項２に記載の遠隔操作式排水栓装置。
【請求項４】
前記操作部は電気信号に基づいて可動し、弁体の操作を行う電動操作部を備え、
前記ロック機構は電動操作部の駆動部の下方に配置されることを特徴とする請求項１乃至請求項３のいずれか１つに記載の遠隔操作式排水栓装置。
【発明の詳細な説明】
【技術分野】
【０００１】
本発明は、シンクや浴槽等の、底部に排水口を備えた槽体に取り付けられる弁体を遠隔的に操作する遠隔操作式排水栓装置に関するものである。
【背景技術】
【０００２】
従来、槽体底部に設けられた排水口を開閉する装置として、遠隔操作によって弁体の上下動操作を行う、遠隔操作式排水栓装置が知られている。
【０００３】
特許文献１に記載の遠隔操作式排水栓装置は、上下動を行うことにより排水口の開閉を行う弁体、手動操作又は電気信号に基づいて操作を行う操作部、操作部の操作を弁体へと伝達するレリースワイヤより構成されている。レリースワイヤは筒状のアウターチューブと、当該アウターチューブ内を摺動可能なインナーワイヤより構成されており、操作部に操作が加わると、インナーワイヤが弁体側へと突出し、弁体を突き上げることで弁体が上下動する構造となっている。又、特許文献１に記載の遠隔操作式排水栓装置は、操作部の操作を弁体へと伝達した際、弁体の上昇の保持及び保持の解除を行うためのロック機構が設けられている。
ロック機構はケーシング体、ロック軸、回転歯（回転ギア）、傾斜歯（下部ギア）、保持歯（上部ギア）より構成されている。回転歯はリング状の回転部材の周囲に突設されており、ロック軸を軸とした回動のみ可能となる様に取り付けられている。尚、傾斜歯及び保持歯はケーシング体に固定されている。又、ロック軸はレリースワイヤ端部に設けられたリターンスプリングによって常時操作部側へと付勢されている。
【０００４】
上記ロック機構の動作について、図１１を用いて以下に説明する。尚、図１１はロック機構の回転歯の動きを容易に理解するため、回転歯、傾斜歯、保持歯を展開した参考図であって、回転歯の動きを矢印にて記載している。
まず、弁体が下降した状態より（この時、ロック軸及び回転歯は上昇した状態である）、操作部に操作を加えると、当該操作に伴いロック軸及び回転歯が押し下げられる。当該押し下げに伴い、インナーワイヤがアウターチューブ内を弁体側に摺動し、弁体を下方から突き上げ、排水口が開口する。そして、ロック軸及び回転歯が最大近傍まで押し下げられると、回転歯が傾斜歯に押し付けられることで摺接し、回転歯が所定角度回転する。
手動又は電動操作が終了すると、リターンスプリングの反発によって、ロック軸及び回転歯が操作部側へと押し戻され、回転歯は傾斜歯と対向する位置に設けられた保持歯に押し付けられて摺接し、所定角度回転するとともに保持歯と係止する。（図１１（ａ））この時、ロック軸は押し下げられた状態（インナーワイヤが弁体を突き上げた状態）のまま保持されるため、弁体の上昇状態がロック機構により保持される。
そして、再び操作部に操作を加えると、当該操作に伴い再びロック軸及び回転歯が押し下げられ、回転歯が傾斜歯と摺接し、回転歯が所定角度回転することで前記保持歯との係止が解除される。（図１１（ｂ））即ち、操作部の操作毎に回転歯が保持歯に対する係脱が成されることによって、弁体の開閉状態を保持することができる。
【０００５】
尚、その他のロック機構として、特開２００４−２７８１６４号公報に記載のロック機構のように、傾斜歯が操作部の操作に応じて回転歯とともに軸方向に進退する構造が知られている。しかし、当該構造においては、操作部の操作に伴い傾斜歯と回転歯が当接した状態で進退を行うことから、回転歯が回動不可能な位置に配置されている状態であっても、回転歯には常に周方向に力が加わることとなる。従って、回転歯が回動可能となった瞬間に回転歯と保持歯（固定歯）の端部同士が擦れ、強い負荷が加わることで回転歯及び保持歯が摩耗・破損する恐れがある。
対して、特許文献１に記載のロック機構は、傾斜歯及び保持歯の位置は固定されており、回転歯が当該傾斜歯と保持歯の間を往復することによって回転を行う構造である。従って、特許文献１に記載のロック機構は前記特開２００４−２７８１６４号公報のように回転歯と保持歯の端部同士が擦れることがなく、回転歯等の摩耗・破損を抑えることができる点において優れている。
【先行技術文献】
【特許文献】
【０００６】
【特許文献１】特開２０１４−９８２３６号公報
【発明の概要】
【発明が解決しようとする課題】
【０００７】
しかし、上記特許文献１に記載のロック機構は、回転歯が傾斜歯や保持歯に押し付けられていない状態又は係止していない状態、即ち回転歯が傾斜歯と保持歯の間に位置している状態の時には、回転歯には何ら応力が加わっておらず自由に回動可能となっている。そのため、槽体側からの排水の逆流等の理由によってロック機構内に排水等が侵入した際、回転歯とロック軸やその他の部材との間に表面張力が働き、作動不良が生じていた。又、上記表面張力以外にも静電気、粘性のあるゴミの付着、熱による部品の歪み等、様々な外的要因によってロック機構に作動不良が生じていた。詳述すると、本来であれば図１１に示すように、回転歯は傾斜歯と摺接後、当該位置状態のまま保持歯へ向けて軸方向に移動し、保持歯と摺接する。一方で、表面張力や静電気等の外的要因が加わった場合、図１２に示すように、回転歯が傾斜歯と摺接後、傾斜歯と摺接前の位置へと戻るように回動してしまうことがあった。その結果、回転歯が保持歯に係止されず、弁体の上昇状態の保持を行うことが不可能となる。特に、特許文献１に記載の遠隔操作式排水栓装置のように、手動及び電動操作に基づいて操作を行うことができる操作部を有する場合、電動操作に基づいて作動する駆動部分の下方にロック機構が配置されることから、槽体からの排水が逆流した際にロック機構内に排水が流入し易く、表面張力による作動不良が生じ易かった。
本発明は上記問題に鑑み、ロック機構に対して排水が流入する等、何らかの外的要因が加わった場合であっても作動不良の生じる恐れのない遠隔操作式排水栓装置の提供を課題とする。
【課題を解決するための手段】
【０００８】
上記課題を解決するための請求項１に記載の本発明は、槽体の底部で排水口を形成する排水栓と、
上下動を行うことにより排水口の開閉を行う弁体と、
弁体の操作を行う操作部と、
操作部の操作を弁体へと伝達する、筒状にして可撓性を有するアウターチューブ、軸方向に剛性を有するとともにアウターチューブ内を進退可能なインナーワイヤを備えたレリースワイヤと、
インナーワイヤを操作部側に向けて付勢するリターンスプリングと、
からなる遠隔操作式排水栓装置について、
前記操作部は弁体の上昇状態の保持及び保持の解除を行うロック機構を有し、
当該ロック機構は、前記操作部の操作に伴い進退可能且つ周方向に回動可能な回転歯を有する回転部材、回転歯を回動させる傾斜歯、回転歯の位置保持を行う保持歯を備え、
前記回転部材は保持歯との係合時及び非係合時において、リターンスプリングによって弁体側端部がインナーワイヤ端部によって操作部側に向けて押圧されることで常時付勢されていることを特徴とする遠隔操作式排水栓装置である。
【０００９】
請求項２に記載の本発明は、前記傾斜歯は、回転歯が弁体側へ前進した際に当接する位置に配置固定され、
前記保持歯は、上記傾斜歯と対向する位置であって、回転歯が操作部側へ後退した時に当接する位置に配置固定され、
前記回転歯は、操作部の操作に伴い傾斜歯及び保持歯によって回動され、保持歯に対して係脱を繰り返すことでレリースワイヤを介して弁体の上昇状態の保持及び保持の解除を行うことを特徴とする請求項１に記載の遠隔操作式排水栓装置である。
【００１０】
請求項３に記載の本発明は、前記ロック機構はケーシング体を有し、
当該ケーシング体の内部に回転歯、傾斜歯、保持歯が配置されることで一体化されたユニットを形成することを特徴とする請求項１又は請求項２に記載の遠隔操作式排水栓装置である。
【００１１】
請求項４に記載の本発明は、前記操作部は電気信号に基づいて可動し、弁体の操作を行う電動操作部を備え、
前記ロック機構は電動操作部の駆動部の下方に配置されることを特徴とする請求項１乃至請求項３のいずれか１つに記載の遠隔操作式排水栓装置である。
【発明の効果】
【００１２】
請求項１に記載の本発明によれば、リターンスプリングによって回転歯が常時付勢されていることから、ロック機構の内部に排水が流入する等、ロック機構に対して外的要因が加わった場合であっても正常に作動することができる。
従来のロック機構の場合、回転歯は、何ら回転を規制するような応力が加えられていないため、傾斜歯や保持歯等の回転を規制する構成に当接していない状態では、外的要因が生じた際に、図１２（ｂ）に示したように、回転歯の逆回転現象が生じる。
これに対し本発明では、リターンスプリングによって回転歯に常時付勢を行うことで回転歯に最低限の応力を加え、回転歯の意図しない回転を制限して、逆回転等の、外的要因による不適切な回転を規制している。
請求項２に記載の本発明によれば、回転歯と保持歯の端部同士が擦れることがなく、回転歯等の摩耗・破損を抑えることが可能となる。
請求項３に記載の本発明によれば、施工性が向上する。
請求項４に記載の本発明によれば、遠隔操作式排水栓装置の構成をより具体化することができる。本発明は電動操作部を備えた操作部を有する遠隔操作式排水栓装置のように、ロック機構の位置が（電動操作部を備えない操作部に対して）低い配置されており、槽体からの排水に伴いロック機構の内部に排水が流入し易い構造であっても、ロック機構の誤作動を防ぐことができる。
【図面の簡単な説明】
【００１３】
【図１】本発明の施工状態を示す断面図である。
【図２】弁体の上昇状態を示す断面図である。
【図３】弁体側を示す要部拡大図である。
【図４】操作部側を示す要部拡大図である。
【図５】ロック機構を示す分解図である。
【図６】ロック機構の各部材を示す分解図である。
【図７】ロック機構の動作を示す参考図である。
【図８】ロック機構の動作を示す参考図である。
【図９】本発明の第二実施形態を示す断面図である。
【図１０】本発明の第三実施形態を示す断面図である。
【図１１】正常なロック機構の動作を示す参考図である。
【図１２】誤作動を起こした際のロック機構の動作を示す参考図である。
【発明を実施するための形態】
【００１４】
以下、図面を参照しながら本発明の遠隔操作式排水栓装置を説明する。尚、以下に記載する説明は実施形態の理解を容易にするためのものであり、これによって発明が制限して理解されるものではない。又、以下の実施形態においては図１に示す施工完了状態を基準として位置関係を説明する。
【００１５】
本実施形態に係る遠隔操作式排水栓装置１は、図１及び図２に示すように、槽体Ｂ、排水栓２、弁体８、レリースワイヤ９、操作部１６より構成されて、操作部１６は内部にロック機構２２を有している。尚、本実施形態において、槽体Ｂは浴槽である。
【００１６】
図３に示すように、排水栓２は上端に鍔部を有する筒状部材であって、その内部において、槽体Ｂからの排水を排出する排水口３が形成されており、筒状部分外周において雄螺子が螺刻されている。排水栓２は槽体Ｂの底面に設けられた開口に対して挿入され、パッキンを介して槽体Ｂの周縁と当接しており、槽体Ｂの裏面に配置された排水エルボ５と螺合することで槽体Ｂの開口周縁を挟持している。又、排水栓２の内部には弁体８、ワイヤ受け４が配置されている。排水エルボ５は排水口３から流入した排水を下流側へと流出させる排水配管であって、排水栓２と螺合する開口と、排水口３から流入した排水を下流側へと排出する排出口６と、後述するレリースワイヤ９が挿通される枝管７を備えている。
弁体８は周囲にパッキンが嵌着された蓋部材であり、裏面にレリースワイヤ９端部の弁軸１３が嵌合している。
ワイヤ受け４は排水栓２の内部に取り付けられたリング状部材であって、後述するレリースワイヤ９の一端に設けられた弁筒１２を排水栓２内部に固定している。
【００１７】
レリースワイヤ９はアウターチューブ１０、インナーワイヤ１１、弁筒１２、弁軸１３、リターンスプリング１４から成り、ガイドチューブ１５内に配置されて後述する操作部１６の操作を弁体８へと伝達する伝達部材である。尚、レリースワイヤ９は一端が上記ワイヤ受け４に固定されており、他端は後述するケーシング体２３に固定されている。
ガイドチューブ１５は合成樹脂よりなる中空の筒状部材であって、一端が排水エルボ５の枝管７に、他端が後述する操作部１６に取り付けられている。
アウターチューブ１０は合成樹脂よりなる中空の筒状部材であって、軸方向に対して剛性を有するとともに側面からの応力に対して可撓性を有する。又、アウターチューブ１０は一端が後述する弁筒１２に固定されているとともに、他端が固定部材を介してロック機構２２に固定されている。
インナーワイヤ１１は金属をコイル状に巻いた撚り線であって、アウターチューブ１０内を軸方向に進退可能に収納されている。尚、以降において、インナーワイヤ１１が弁体８側（弁体８を突き上げる方向）へと進むことを「前進」、操作部１６側（弁体８を降下させる方向）へと進むことを「後退」と記載する。インナーワイヤ１１は操作部１６側端部において金属製の棒体がカシメ固定されており、後述するリターンスプリング１４によって後退方向に付勢されている。
弁筒１２はアウターチューブ１０の排水栓２側端部に固定された筒部材であり、内部に弁軸１３が軸方向に進退可能に収納されている。
弁軸１３はインナーワイヤ１１の排水栓２側端部に緩衝用スプリングを介して取り付けられた筒部材であり、その端部が弁体８の裏面に嵌合している。尚、弁筒１２と弁軸１３の間、及び弁軸１３の内部にはそれぞれ緩衝用スプリングが配置されており、弁体８の上昇時に弁体８が踏まれる等の衝撃が加わった際、当該緩衝用スプリングによって部材の破損を防ぐ役割を有している。
リターンスプリング１４はレリースワイヤ９の操作部１６側端部に配置された弾性部材であり、インナーワイヤ１１を後退方向へ向けて常時付勢している。
【００１８】
図４に示すように、操作部１６は操作部上部１７、操作部下部１８、スイッチ部２１、から成り、スイッチ部２１に加えられた操作をレリースワイヤ９を介して弁体８へと伝達させることによって当該弁体８を上下動させることができる。又、操作部１６は内部に設けられたロック機構２２によって弁体８の上昇状態の保持及び保持の解除を行うことができる。
操作部上部１７は操作部１６を槽体Ｂの縁部Ｂ１に設けられた開口に固定するフランジ部１７１を有する筒状部材であって、筒状部分の外周に雄螺子部、係合溝１９を備え、下端にはパッキンが嵌着されている。尚、フランジ部１７１は上記縁部Ｂ１の開口よりも大径であり、その他の部分は当該開口よりも小径である。操作部上部１７は上記フランジ部１７１によって板状の平パッキンを介して槽体Ｂの縁部Ｂ１と当接しているとともに、槽体Ｂの裏側よりナットが螺合され、槽体Ｂの縁部Ｂ１周辺を挟持することで水密に接続されている。又、係合溝１９には断面視略コ字状且つ平面視略Ｃ字状のリング体２０が取り付けられることによって操作部下部１８と連結されている。
操作部下部１８は外周に係合溝１９を有し、当該係合溝１９に上記リング体２０が係合することによって操作部上部１７と連結されている。尚、図１に示す施工完了状態において、操作部上部１７外周と操作部下部１８内周によって操作部上部１７下端に嵌着されたパッキンが挟持されており、操作部上部１７と操作部下部１８は水密に連結されている。又、操作部下部１８下端はガイドチューブ１５内部に挿入されて、操作部１６内部に侵入した排水を排水エルボ５の枝管７へと流出させる流路を形成している。
スイッチ部２１は操作部上部１７内部に配置され、弁体８が下降状態の時にはその上面が操作部上部１７の上端と略面一となる位置に配置されており、裏面には後述するロック機構２２のロック軸２４が嵌合している。尚、スイッチ部２１の外周は操作部上部１７の内周と略同径であって、その上面を押動操作することによって操作部１６内部を上下に移動可能となっている。
【００１９】
ロック機構２２は図４乃至図６に示すように、ケーシング体２３、ロック軸２４、回転部材２５、傾斜歯２６、保持歯２７より成り、スイッチ部２１の押動の度にインナーワイヤ１１の前進状態を保持及び保持の解除を行う機構である。又、ロック機構２２はケーシング体２３の内部に回転部材２５、傾斜歯２６、保持歯２７が配置されることで一体化されたユニットを形成している。
ケーシング体２３は内部にロック軸２４、回転部材２５、傾斜歯２６を収納し、内周に保持歯２７が形成された筒状部材である。ケーシング体２３は上端及び下端が開口しており、上端の開口からはロック軸２４が突出している。又、下端には傾斜歯２６及びアウターチューブ１０が固定されることによってレリースワイヤ９が取り付けられている。
ロック軸２４はケーシング体２３の内に配置されるとともに、その上部はケーシング体２３上部の開口から突出し、上端が前記スイッチ部２１の裏面に嵌合しており、下端が回転部材２５と当接している。
回転部材２５はケーシング体２３内部に回動自在に配置された略筒状のギアであって、その上端側面に略三角形状の回転歯２５１が３箇所、周方向に形成されている。又、回転部材２５は上端が前記ロック軸２４下端と当接しており、底面において凹設された溝にインナーワイヤ１１の端部が挿入されている。従って、図５に示すように、回転部材２５はロック軸２４とインナーワイヤ１１によって軸方向に挟持されており、ロック軸２４と連動して上下動することで、スイッチ部２１の押動操作をインナーワイヤ１１へと伝達する。ここで、前述の通り、インナーワイヤ１１はリターンスプリング１４によって後退方向に付勢されていることから、インナーワイヤ１１と当接している回転部材２５及び回転歯２５１も後退方向に常時付勢されている。
傾斜歯２６はケーシング体２３の底面に固定されたギアであり、上方へ向けて突出する鋸刃状の歯部が周方向に亘って複数形成されている。尚、傾斜歯２６はその１つ１つが傾斜部２６１と垂直部２６２から構成されている。
保持歯２７は傾斜歯２６と対向する位置に設けられたギアであって、ケーシング体２３の内周に形成され、傾斜部２７１と保持部２７２より構成されている。又、保持歯２７は隣り合う保持歯２７との間に溝部２７３が設けられている。
【００２０】
上記各部材より構成される遠隔操作式排水栓装置１は、以下のようにして槽体Ｂに取り付けられる。
まず、排水栓２を槽体Ｂ底面の開口に挿入し、槽体Ｂの裏面に配置された排水エルボ５と螺合させて固定する。
次に、操作部上部１７を槽体Ｂの縁部Ｂ１に設けられた開口に挿入し、縁部Ｂ１裏面よりナットを螺合させる。そして、操作部上部１７に操作部下部１８を差し込んだ状態で、係合溝１９にリング体２０を係合させて操作部上部１７と操作部下部１８を連結させる。
次に、排水エルボ５の枝管７及び操作部下部１８にガイドチューブ１５を取り付ける。
次に、操作部上部１７の上方からレリースワイヤ９の弁軸１３側を挿入し、排水エルボ５の枝管７を介し、排水栓２内にまでレリースワイヤ９を挿通する。この時、操作部上部１７より挿入されたレリースワイヤ９は、ガイドチューブ１５によってガイドされて、弁軸１３側端部が枝管７へと容易に到達する。そして、排水栓２上からペンチその他の治具を使用し、レリースワイヤ９を引き上げた上で、レリースワイヤ９端部をワイヤ受け４に取り付け、ワイヤ受け４を排水栓２内に嵌合させる。
最後に、操作部上部１７側から治具を挿入し、スイッチ部２１の上面が操作部上部１７の上端と面一となるようにロック機構２２の位置調整を行い、ロック軸２４にスイッチ部２１を嵌合させて遠隔操作式排水栓装置１の施工が完了する。
【００２１】
上記手順により施工された遠隔操作式排水栓装置１は、以下のように作動する。尚、図１に示すように、弁体８が下降状態にあって、排水口３が閉塞されている状態より排水口３を開口させる際の遠隔操作式排水栓装置１の動作を説明する。又、以下の説明において、図７及び図８を用いてロック機構２２の動作について説明するが、当該図７及び図８はロック機構２２の回転歯２５１の動きを容易に理解するため、回転歯２５１、傾斜歯２６、保持歯２７を展開し、回転歯２５１の動きを矢印にて記載している。
【００２２】
まず、弁体８が下降状態にある時、回転歯２５１は溝部２７３の間に配置されている。
当該状態よりスイッチ部２１を押動操作するとスイッチ部２１、ロック軸２４、回転部材２５、インナーワイヤ１１が下方へと押し下げられる。当該押し下げに伴い、インナーワイヤ１１がアウターチューブ１０内を弁体８側に摺動（前進）し、弁軸１３が弁筒１２より突出することで弁体８を下方から突き上げ、排水口３が開口する。そして、ロック軸２４及び回転部材２５が最大近傍まで押し下げられると、回転歯２５１が傾斜歯２６の傾斜部２６１に押し付けられて摺接し、回転歯２５１（回転部材２５）が所定角度回転する。（図７（ａ)）尚、回転歯２５１が傾斜歯２６の垂直部２６２に当接することで最大までスイッチ部２１が押し下げられた際の回転歯２５１の位置が位置決めされる。
スイッチ部２１の押動操作が終了し、使用者がスイッチ部２１から手を離すと、リターンスプリング１４の反発によって付勢され、インナーワイヤ１１が後退方向に押し戻される。同様に、インナーワイヤ１１が当接している回転部材２５、回転部材２５が当接しているロック軸２４、ロック軸２４が当接しているスイッチ部２１もリターンスプリング１４の反発によって付勢され、後退方向に押し戻される。この時、インナーワイヤ１１の付勢によって回転歯２５１は無回転のまま軸方向に後退した後に傾斜歯２６と対向する位置に設けられた保持歯２７の傾斜部２７１に押し付けられて摺接し、回転歯２５１（回転部材２５）が所定角度回転する。（図７（ｂ））そして、傾斜部２７１によって回転した回転歯２５１は保持部２７２に係止することによって回転が制御されるとともに、図２に示すように、弁体８の上昇状態が保持される。即ち、弁体８はスイッチ部２１の押動操作により、弁軸１３によって突き上げられ、所定距離降下した後に当該位置が保持される。
【００２３】
次に、図８を用いて弁体８が上昇状態にあって、排水口３が開口されている状態より排水口３を閉塞させる際の遠隔操作式排水栓装置１の動作を説明する。
【００２４】
上記図２に示す弁体８の上昇状態より、再びスイッチ部２１を押動操作すると、スイッチ部２１、ロック軸２４、回転部材２５、インナーワイヤ１１が下方へと押し下げられる。そして、上記排水口３の開口させた際と同様に、ロック軸２４及び回転部材２５が最大近傍まで押し下げられると、保持部２７２に係止していた回転歯２５１が軸方向に前進して傾斜歯２６の傾斜部２６１に押し付けられて摺接し、回転歯２５１（回転部材２５）が所定角度回転する。（図８（ａ)）
スイッチ部２１の押動操作が終了し、使用者がスイッチ部２１から手を離すと、リターンスプリング１４の反発によって付勢され、インナーワイヤ１１が後退方向に押し戻される。同様に、インナーワイヤ１１が当接している回転部材２５、回転部材２５が当接しているロック軸２４、ロック軸２４が当接しているスイッチ部２１もリターンスプリング１４の反発によって付勢され、後退方向に押し戻される。この時、回転歯２５１はインナーワイヤ１１の付勢によって無回転のまま軸方向に後退した後に傾斜歯２６と対向する位置に設けられた保持歯２７の傾斜部２７１に押し付けられて摺接し、回転歯２５１（回転部材２５）が所定角度回転する。そして、当該回転によって溝部２７３の下方に位置した回転歯２５１は、リターンスプリング１４の付勢によって溝部２７３内にまで後退する。（図８（ｂ)）この時、回転歯２５１は前記弁体８が下降状態にある時と同様の位置に配置されて、弁体８の上昇状態の保持が解除される。即ち、弁体８はスイッチ部２１の押動操作により、弁軸１３によって突き上げられ、排水口３を閉塞するまで降下する。
【００２５】
以上のように、本発明の遠隔操作式排水栓装置１は、回転歯２５１が保持歯２７に対して係脱を繰り返すことでレリースワイヤ９を介して弁体８の上昇状態の保持及び保持の解除を行う。又、回転歯２５１が進退する際に、周方向に対する力が加わっていないため、摩耗等による破損の恐れが生じ難い。そして、本発明は回転歯２５１（回転部材２５）がリターンスプリング１４によって後退方向に付勢されているため、ロック機構２２内部に排水等が流入していても、表面張力に影響されることなく作動する。又、同様に、ロック機構２２に対して静電気、粘性のあるゴミ、熱による部材の歪み等が生じた場合であっても正常に作動する。即ち、何らかの外的要因によって回転歯２５１が逆回転する等作動不良に繋がる方向に力が加わったとしても、回転部材２５が当該外的要因よりも強い力でリターンスプリング１４により付勢されていることから、外的要因に基づく作動不良が生じない。更に、本発明はレリースワイヤ９に配置されたリターンスプリング１４の反発を利用して回転歯２５１を付勢しているため、回転歯２５１の付勢のために別途スプリングを用意する必要がない。
【００２６】
本発明の第一実施形態は以上であるが、本発明の遠隔操作式排水栓装置１は上記第一実施形態の形状に限られるものではなく、発明の要旨を逸脱しない範囲において種々の変更を加えても良い。例えば、上記第一実施形態には、手動操作に基づいて弁体８を操作可能な操作部１６のみが記載されていたが、以下に説明する第二実施形態のように、操作部１６が電気信号に基づいて弁体８を操作可能な電動操作部を備えていても良い。尚、第二実施形態の遠隔操作式排水栓装置１の構成は、後述する電動操作部、駆動部２８を除いて同一であり、同一箇所については既に記載した第一実施形態と同一の番号を付して説明を省略する。
【００２７】
図９に示す第二実施形態の遠隔操作式排水栓装置１の操作部１６は、スイッチ部２１とロック機構２２との間にモータ及びギアを備えた駆動部２８を有している。駆動部２８は浴室と隣接する洗面所やリビング（図示せず）の壁面等、浴室以外の箇所に設けられた電動操作部（図示せず）の操作によって駆動し、ロック軸２４を押し下げることによって排水口３の開閉操作が可能となっている。尚、駆動部２８は電動操作部に対して操作が加えられた際、ロック軸２４を押し下げた後に作動前の位置に復帰する構造となっている。従って、電動操作部を操作した後にスイッチ部２１への押動操作を妨げることはなく、使用者は任意の操作方法を選択することができる。
【００２８】
上記第二実施形態の遠隔操作式排水栓装置１においては、ロック機構２２が駆動部２８の下方に設けられていることから、第一実施形態と比べてロック機構２２が低い位置に配置されている。従って、第二実施形態においては、槽体Ｂから大量に排水が排出された際、当該排水がガイドチューブ１５を通じてロック機構２２内に流入し易くなっている。しかし、本発明によれば、回転歯２５１（回転部材２５）がリターンスプリング１４によって後退方向に付勢されているため、ロック機構２２内部に排水等が流入していても、表面張力に影響されることなく正常にロック機構２２が作動可能である。
【００２９】
本発明の遠隔操作式排水栓装置１は上記各実施形態に限られるものではない。例えば、図１０に示す第三実施形態のようにロック軸２４の底面に凸部２４１を、回転部材２５の上面に凹部２５２をそれぞれ設けても良い。この場合においては、凸部２４１が凹部２５２に嵌合することにより、ロック軸２４と回転部材２５の中心軸が確実に同一線上に配置されるため、部材間の動きがスムーズに伝達される。又、第一実施形態においては、弁体８が上昇状態にある時、スイッチ部２１及びロック軸２４は自重によって降下しているが、当該第三実施形態においては、スイッチ部２１及びロック軸２４は回転部材２５と連動して移動するため、弁体８が上昇している状態にある時には必ずスイッチ部２１が下降している状態となり、使用者はスイッチ部２１を目視することで排水口３の開閉状態を確認することが可能となる。
【符号の説明】
【００３０】
１          遠隔操作式排水栓装置
２          排水栓
３          排水口
４          ワイヤ受け
５          排水エルボ
６          排出口
７          枝管
８          弁体
９          レリースワイヤ
１０        アウターチューブ
１１        インナーワイヤ
１２        弁筒
１３        弁軸
１４        リターンスプリング
１５        ガイドチューブ
１６        操作部
１７        操作部上部
１７１      フランジ部
１８        操作部下部
１９        係合溝
２０        リング体
２１        スイッチ部
２２        ロック機構
２３        ケーシング体
２４        ロック軸
２４１      凸部
２５        回転部材
２５１      回転歯
２５２      凹部
２６        傾斜歯
２６１      傾斜部
２６２      垂直部
２７        保持歯
２７１      傾斜部
２７２      保持部
２７３      溝部
２８        電動部
Ｂ          槽体
Ｂ１        縁部
【図１】
0006682064.tif 000002
【図２】
0006682064.tif 000003
【図３】
0006682064.tif 000004
【図４】
0006682064.tif 000005
【図５】
0006682064.tif 000006
【図６】
0006682064.tif 000007
【図７】
0006682064.tif 000008
【図８】
0006682064.tif 000009
【図９】
0006682064.tif 000010
【図１０】
0006682064.tif 000011
【図１１】
0006682064.tif 000012
【図１２】
0006682064.tif 000013